(57)【要約】      （修正有）【課題】より一層の自然エネルギー利用を促進する手段を提供する。【解決手段】カルノーサイクルのバイナリー発電装置と太陽熱集熱装置と給湯装置を組み合わせて活用し、発電と給湯を効率良く行う。太陽熱によるバイナリー発電のみ場合は、まず太陽熱集熱装置２により高温となった冷媒を、バイナリー発電装置の蒸発器３に流入させ、熱交換によりバイナリー発電装置の冷媒を昇温し、膨張機１の駆動力で発電を行う。低圧、低温となった冷媒は凝縮器において貯湯タンク２６からの冷却水と熱交換を行い凝縮し、冷媒ポンプにより昇圧されて蒸発器に戻る。太陽熱によりバイナリー発電、及び貯湯も行う場合は、上記の太陽熱発電に加えて、バイナリー発電装置の蒸発器より流出した、まだ温度の高い太陽熱集熱装置の冷媒を利用して、貯湯タンクからの冷水を熱交換により昇温し活用する。【選択図】図１
2016017736.tif 000002
【特許請求の範囲】
【請求項１】
カルノーサイクルのバイナリー発電装置と太陽熱集熱装置と給湯装置を組み合わせて活用し、発電と給湯を効率良く行う事を特徴とする太陽熱発電給湯装置。
【請求項２】
凝縮器において、バイナリー発電装置の冷媒と熱交換を行い昇温した貯湯タンクからの冷却水により、ヒートポンプ給湯装置やガス給湯装置の昇温に必要な電力やガスの熱エネルギーを、低減する事が出来る事を特徴とする太陽熱発電給湯装置。
【請求項３】
熱交換器において、太陽熱集熱装置により高温となった冷媒と熱交換を行い昇温した貯湯タンクからの冷却水により、ヒートポンプ給湯装置やガス給湯装置の昇温に必要な電力やガスの熱エネルギーを、低減する事が出来る事を特徴とする太陽熱発電給湯装置。
【請求項４】
太陽熱集熱装置による集熱が不足して給湯温度が低すぎる場合は、ヒートポンプ給湯装置及び、ガス給湯装置と３方弁と貯湯タンクを冷却水が循環する様に順番に給水配管で接続し、給湯装置を活用して、給湯温度を適正に保つ事を特徴とする太陽熱発電給湯装置。
【請求項５】
太陽熱によるバイナリー発電のみの場合は、まず太陽熱集熱パネルと３方弁と蒸発器と３方弁と第２冷媒ポンプを冷媒が循環する様に順番に冷媒配管で接続し、太陽熱集熱装置により高温となった冷媒を、３方弁を介してバイナリー発電装置の蒸発器に流入させ、熱交換により降温した冷媒は、３方弁を介して、第２冷媒ポンプにより送られて太陽熱集熱パネルに戻る。凝縮器と膨張機と蒸発器と第１冷媒ポンプを冷媒が循環する様に順番に冷媒配管で接続されたバイナリー発電サイクルでは、蒸発器において太陽熱集熱装置により高温となった冷媒との熱交換により高温、高圧となった冷媒による膨張機の駆動力で発電を行い、低圧、低温となった冷媒は凝縮器において貯湯タンクからの冷水と熱交換を行い凝縮し、冷媒ポンプにより昇圧されて蒸発器に戻る。貯湯タンクと冷水ポンプと３方弁と凝縮器を３方弁を冷却水が循環する様に順番に給水配管で接続された貯湯冷水サイクルでは、貯湯タンクから冷水ポンプにより送られた冷却水は凝縮器においてバイナリー発電装置の膨張機により低圧、低温となった冷媒と熱交換を行い昇温し、３方弁を経て貯湯タンクに戻る事により、太陽熱の集熱、発電、を効率良く行う事を特徴とする太陽熱発電給湯装置。
【請求項６】
太陽熱集熱パネルにより貯湯のみ行う場合は、まず太陽熱集熱パネルと３方弁と熱交換器と３方弁と第２冷媒ポンプを冷媒が循環する様に順番に冷媒配管で接続し、太陽熱集熱装置により高温となった冷媒は、３方弁を介して、熱交換器に流入し、貯湯タンクからの冷水と熱交換を行い３方弁を経て、第２冷媒ポンプにより送られて太陽熱集熱パネルに戻る。貯湯タンクと３方弁と貯湯ポンプと熱交換器と３方弁を冷却水が循環する様に順番に給水配管で接続された貯湯温水サイクルでは、貯湯タンクから３方弁を介して貯湯ポンプにより送られた冷却水は熱交換器において太陽熱集熱装置により高温となった冷媒と熱交換を行い高温となり、３方弁を経て貯湯タンクに戻る事により、太陽熱の集熱、貯湯、を効率良く行う事を特徴とする太陽熱発電給湯装置。
【請求項７】
太陽熱によるバイナリー発電、及び貯湯も行う場合は、まず太陽熱集熱パネルと３方弁と蒸発器と３方弁と熱交換器と３方弁と第２冷媒ポンプを冷媒が循環する様に順番に冷媒配管で接続し、太陽熱集熱装置により高温となった冷媒を、３方弁を介してバイナリー発電装置の蒸発器に流入させ、熱交換により降温した冷媒は、３方弁を介して、熱交換器において、貯湯タンクからの冷水と熱交換を行い３方弁を経て、第２冷媒ポンプにより送られて太陽熱集熱パネルに戻る。凝縮器と膨張機と蒸発器と第１冷媒ポンプを冷媒が循環する様に順番に冷媒配管で接続されたバイナリー発電サイクルでは、蒸発器において太陽熱集熱装置により高温となった冷媒との熱交換により高温、高圧となった冷媒による膨張機の駆動力で発電を行い、低圧、低温となった冷媒は凝縮器において貯湯タンクからの冷水と熱交換を行い凝縮し、冷媒ポンプにより昇圧されて蒸発器に戻る。貯湯タンクと３方弁と貯湯ポンプと熱交換器と３方弁を冷却水が循環する様に順番に給水配管で接続された貯湯温水サイクルでは、貯湯タンクから３方弁を介して貯湯ポンプにより送られた冷却水は熱交換器において太陽熱集熱装置により高温となった冷媒と熱交換を行い高温となり、３方弁を経て貯湯タンクに戻る。貯湯タンクと冷水ポンプと３方弁と凝縮器と３方弁を冷却水が循環する様に順番に給水配管で接続された貯湯冷水サイクルでは、貯湯タンクから冷水ポンプにより送られた冷却水は凝縮器においてバイナリー発電装置の膨張機により低圧、低温となった冷媒と熱交換を行い昇温し、３方弁を経て貯湯タンクに戻る事により、太陽熱の集熱、貯湯、発電、を効率良く行う事を特徴とする太陽熱発電給湯装置。
【請求項８】
太陽熱集熱パネルにおいて太陽熱サイクルの冷媒は、温度センサーにより冷媒の温度を検知され、第２冷媒ポンプにより適正な循環量で循環される事を特徴とする太陽熱発電給湯装置。
【請求項９】
バイナリー発電装置の冷媒は、温度センサーにより冷媒の温度を検知され、第１冷媒ポンプにより適正な循環量で循環される事を特徴とする太陽熱発電給湯装置。
【請求項１０】
貯湯タンクにおける温水は、温度センサーにより温水の温度を検知され、貯湯ポンプにより適正な循環量で循環される事を特徴とする太陽熱発電給湯装置。
【請求項１１】
バイナリー発電装置の空冷熱交換器による冷却サイクルは第２冷水ポンプによって送られ、凝縮器においてバイナリー発電装置の冷媒冷却水と熱交換を行い昇温した冷却水は、３方弁を介して、空冷熱交換器を経て凝縮器に戻り循環する事を特徴とする太陽熱発電給湯装置。
【請求項１２】
太陽熱集熱装置による集熱が不足して給湯温度が低すぎる場合は、貯湯タンク２６における温水は、温度センサーにより温水の温度を検知され、給湯装置により適正な循環量で循環される事を特徴とする太陽熱発電給湯装置。
【請求項１３】
貯湯タンクへの給水は給水配管により貯湯タンクの底部から給水され、取水は給水配管により貯湯タンク上部から行われる事を特徴とする太陽熱発電給湯装置。
【請求項１４】
バイナリー発電装置により発電された電気は、売電されるか、または蓄電池に蓄電され利用される事を特徴とする太陽熱発電給湯装置。
【発明の詳細な説明】
【技術分野】
【０００１】本発明は、カルノーサイクルのバイナリー発電装置と太陽熱集熱装置と給湯装置を組み合わせて活用し、発電と給湯を効率良く行う事を特徴とする太陽熱発電給湯装置である。
太陽熱発電給湯装置において、太陽熱によるバイナリー発電のみ場合は、まず太陽熱集熱装置により高温となった冷媒を、バイナリー発電装置の蒸発器に流入させ、熱交換によりバイナリー発電装置の冷媒を昇温し、膨張機の駆動力で発電を行う。そして低圧、低温となった冷媒は凝縮器において貯湯タンクからの冷却水と熱交換を行い凝縮し、冷媒ポンプにより昇圧されて蒸発器に戻る。
太陽熱によりバイナリー発電、及び貯湯も行う場合は、上記の太陽熱発電に加えて、バイナリー発電装置の蒸発器より流出した、まだ温度の高い太陽熱集熱装置の冷媒を利用して、貯湯タンクからの冷水を熱交換により昇温し活用する。また、太陽熱集熱装置による集熱が不足して給湯温度が低すぎる場合は、給湯装置を活用して給湯温度を適正に保つ。
現在、各戸別住宅においては、太陽光発電とヒートポンプ給湯機等の給湯装置により発電と給湯を別々に行っているが、バイナリー発電装置と太陽熱集熱装置を加えて連携して活用する事により、より一層の省エネルギーの向上と、消費電力を低減する事が出来る太陽熱発電給湯装置に関するものである。
【背景技術】
【０００２】現在、各戸別住宅においては、太陽光発電とヒートポンプ給湯機等の給湯装置により発電と給湯を別々に行っている。また、日本における太陽光発電とヒートポンプ給湯機等の給湯装置の技術は順調に発展し、世界をリードするに至っている。こういった環境において、より一層の省エネルギーの向上と、消費電力を低減する事が出来る、太陽熱発電とバイナリー発電の有効利用が求められている。【０００３】現在、太陽光発電とヒートポンプ給湯機、等の給湯装置により発電と給湯を行うシステムは、そのエネルギー効率の高さから、将来の低炭素社会への有力な切り札となっている。さらに、バイナリー発電装置と太陽熱集熱装置を加えて活用する事により、より一層の省エネルギーの向上と、消費電力を低減する事が出来き、これらを複合的に活用した発電、給湯装置の社会的な意義は計りしれない。
【特許文献】
【０００４】
【特許文献１】特開２０１３−４０５９７
【特許文献２】特開２０１３−１２２２３９
【発明の概要】
【０００５】本発明は、カルノーサイクルのバイナリー発電装置と太陽熱集熱装置と給湯装置を組み合わせて活用し、発電と給湯を効率良く行う事を特徴とする太陽熱発電給湯装置である。
太陽熱発電給湯装置において、太陽熱によるバイナリー発電のみ場合は、まず太陽熱集熱装置により高温となった冷媒を、バイナリー発電装置の蒸発器に流入させ、熱交換によりバイナリー発電装置の冷媒を昇温し、膨張機の駆動力で発電を行う。そして低圧、低温となった冷媒は凝縮器において貯湯タンクからの冷却水と熱交換を行い凝縮し、冷媒ポンプにより昇圧されて蒸発器に戻る。
太陽熱によりバイナリー発電、及び貯湯も行う場合は、上記の太陽熱発電に加えて、バイナリー発電装置の蒸発器より流出した、まだ温度の高い太陽熱集熱装置の冷媒を利用して、貯湯タンクからの冷水を熱交換により昇温し活用する。また、太陽熱集熱装置による集熱が不足して給湯温度が低すぎる場合は、給湯装置を活用して給湯温度を適正に保つ。
現在、各戸別住宅においては、太陽光発電とヒートポンプ給湯機等の給湯装置により発電と給湯を別々に行っているが、バイナリー発電装置と太陽熱集熱装置を加えて連携して活用する事により、より一層の省エネルギーの向上と、消費電力を低減する事が出来る太陽熱発電給湯装置である。
【発明が解決しようとする課題】
【０００６】現在、電気は、大規模な発電施設で発電するか、工場等での自家発電、各家庭等での個別の小規模発電で作られているが、大規模発電である原子力は事故時の被害の甚大さや核燃料廃棄物処理の問題、火力や天然ガスはＣＯ２を排出し、水力及び、地熱は規模や建設場所等の問題がある。各家庭での太陽熱、太陽光の再生可能エネルギー利用は省エネルギーの向上と、消費電力を低減する事が出来きる。この様な状況のなかで、これらを複合的に活用し、より一層、エネルギーの有効利用を促進する必要が有る。
【課題を解決するための手段】
【０００７】本発明は、カルノーサイクルのバイナリー発電装置と太陽熱集熱装置と給湯装置を組み合わせて連携して活用し、発電と給湯を効率良く行う。
太陽熱によりバイナリー発電、及び貯湯も行う場合は、まず太陽熱集熱装置により高温となった冷媒を、バイナリー発電装置の蒸発器に流入させ、熱交換によりバイナリー発電装置の冷媒を昇温し、膨張機の駆動力で発電を行う。そして低圧、低温となった冷媒は凝縮器において貯湯タンクからの冷水と熱交換を行い凝縮し、冷媒ポンプにより昇圧されて蒸発器に戻る。さらに、バイナリー発電装置の蒸発器より流出した、まだ温度の高い冷媒を利用して、貯湯タンクからの冷水を熱交換により昇温し活用する。また、太陽熱集熱装置による集熱が不足して給湯温度が低すぎる場合は、給湯装置を活用して給湯温度を適正に保つ。
従来の太陽光発電にバイナリー発電と太陽熱集熱を加えて連携して活用する事により、より一層、省エネルギーの向上と、消費電力を低減する事が出来る。
【発明の効果】
【０００８】本発明は太陽の熱エネルギーを利用する太陽熱発電給湯装置であり、各戸別、及び大規模施設、工場等、どこにでも設置可能である。
また、従来の太陽光発電装置も活用して設置する事により、さらに省エネルギーの向上を計る事ができる。
【発明を実施するための形態】
【０００９】以下、本発明による太陽熱発電給湯装置を図１、図２、図３、図４、図５、に示す全体の構成図に基づいて説明する。
【００１０】図１、において、バイナリー発電装置と太陽熱集熱装置と温水貯湯が連携して機能しているときは、太陽熱集熱パネル２において、太陽熱サイクルの冷媒は太陽熱により昇温し高温、高圧となり、太陽熱冷媒配管１２と３方弁２１を経てバイナリー発電装置の蒸発器３に入り降温し３方弁２１を通り熱交換器５に流入する。
【００１１】図１、において、熱交換器５に流入した太陽熱サイクルの冷媒は、貯湯ポンプ２３によって送られた冷却水と熱交換を行い降温し、３方弁２１を介して第２冷媒ポンプ２９により送られて太陽熱冷媒配管１４を通り、太陽熱集熱パネル２に戻る事により循環する。
【００１２】図１、において、高温、高圧となった太陽熱サイクルの冷媒により蒸発器３において昇温されたバイナリー発電装置の冷媒は膨張機１に流入して膨張し、発電機の１９を駆動して発電を行う。
【００１３】図１、において、膨張機１より膨張し低温、低圧となったバイナリー発電装置の冷媒はバイナリーサイクルの冷媒配管９を経て、凝縮器４に流入し、貯湯タンク２６から冷水ポンプ２８により３方弁２１を介して送られた冷却水と熱交換を行い凝縮して、冷媒配管１０を経て第１冷媒ポンプ６に入る。
【００１４】図１、において、冷媒ポンプ６により昇圧されたバイナリー発電装置の冷媒は、冷媒配管１１を通り蒸発器３に戻る。
【００１５】図１、において、冷水ポンプ２８によって送られ、凝縮器４においてバイナリー発電装置の冷媒冷却水と熱交換を行い昇温した冷却水は３方弁２１を介して、給水配管１６を経て貯湯タンク２６に戻る。
【００１６】図１、において、貯湯タンク２６から３方弁２１を介して貯湯ポンプ２３によって送られ、熱交換器５において太陽熱サイクルの冷媒と熱交換を行った冷却水は昇温し、３方弁２１を経て貯湯タンク２６に戻る。
【００１７】図２、において、バイナリー発電装置と太陽熱集熱装置と温水貯湯が連携して機能しているときは、太陽熱集熱パネル２において、太陽熱サイクルの冷媒は太陽熱により昇温し高温、高圧となり、太陽熱冷媒配管１２と３方弁２１を経てバイナリー発電装置の蒸発器３に入り降温し３方弁２１を通り熱交換器５に流入する。
【００１８】図２、において、熱交換器５に流入した太陽熱サイクルの冷媒は、貯湯ポンプ２３によって送られた冷却水と熱交換を行い降温し、３方弁２１を介して第２冷媒ポンプ２９により送られて太陽熱冷媒配管１４を通り、太陽熱集熱パネル２に戻る事により循環する。
【００１９】図２、において、高温、高圧となった太陽熱サイクルの冷媒により蒸発器３において昇温されたバイナリー発電装置の冷媒は膨張機１に流入して膨張し、発電機の１９を駆動して発電を行う。
【００２０】図２、において、膨張機１より膨張し低温、低圧となったバイナリー発電装置の冷媒はバイナリーサイクルの冷媒配管９を経て、凝縮器４に流入し、貯湯タンク２６から冷水ポンプ２８により３方弁２１を介して送られた冷却水と熱交換を行い凝縮して、冷媒配管１０を経て第１冷媒ポンプ６に入る。
【００２１】図２、において、冷媒ポンプ６により昇圧されたバイナリー発電装置の冷媒は、冷媒配管１１を通り蒸発器３に戻る。
【００２２】図２、において、第２冷水ポンプ３４によって送られ、凝縮器４においてバイナリー発電装置の冷媒冷却水と熱交換を行い昇温した冷却水は、３方弁２１を介して、空冷熱交換器７を経て降温し、凝縮器４に戻り循環する。
【００２３】図２、において、貯湯タンク２６から３方弁２１を介して貯湯ポンプ２３によって送られ、熱交換器５において太陽熱サイクルの冷媒と熱交換を行った冷却水は昇温し、３方弁２１を経て貯湯タンク２６に戻る。
【００２４】図３、において、バイナリー発電装置と太陽熱集熱装置が連携して機能し、温水貯湯が停止している場合は、太陽熱集熱パネル２において太陽熱サイクルの冷媒は、太陽熱により昇温し高温、高圧となり、太陽熱冷媒配管１２と３方弁２１を経てバイナリー発電装置の蒸発器３に入り降温し３方弁２１を介してバイパスの太陽熱冷媒配管２４を通り、３方弁２１を経て第２冷媒ポンプ２９により送られて、太陽熱冷媒配管１４を通り太陽熱集熱パネル２に戻る事により循環する。
【００２５】図３、において、高温、高圧となった太陽熱サイクルの冷媒により蒸発器３において昇温されたバイナリー発電装置の冷媒は膨張機１に流入して膨張し、発電機の１９を駆動して発電を行う。
【００２６】図３、において、膨張機１より膨張し低温、低圧となったバイナリー発電装置の冷媒はバイナリーサイクルの冷媒配管９を経て、凝縮器４に流入し、貯湯タンク２６から冷水ポンプ２８と３方弁２１を介して送られた冷却水と熱交換を行い凝縮して、冷媒配管１０を経て第１冷媒ポンプ６に入る。
【００２７】図３、において、冷媒ポンプ６により昇圧されたバイナリー発電装置の冷媒は、冷媒配管１１を通り蒸発器３に戻る。
【００２８】図３、において、冷水ポンプ２８によって送られ、凝縮器４においてバイナリー発電装置の冷媒冷却水と熱交換を行い昇温した冷却水は３方弁２１を介して、給水配管１６を経て貯湯タンク２６に戻る。
【００２９】図４、において、バイナリー発電装置が停止し、太陽熱集熱装置と温水貯湯が連携して機能しているときは、太陽熱集熱パネル２において太陽熱サイクルの冷媒は、太陽熱により昇温し高温、高圧となり、太陽熱冷媒配管１２と３方弁２１を介して熱交換器５に流入する。
【００３０】図４、において、熱交換器５に流入した太陽熱サイクルの冷媒は、貯湯ポンプ２３によって送られた冷却水と熱交換を行い降温し、３方弁２１を介して第２冷媒ポンプ２９により送られて太陽熱冷媒配管１４を通り、太陽熱集熱パネル２に戻る事により循環する。
【００３１】図４、において、貯湯タンク２６から３方弁２１を介して貯湯ポンプ２３によって送られ、熱交換器５において太陽熱サイクルの冷媒と熱交換を行った冷却水は昇温し、３方弁２１を経て貯湯タンク２６に戻る。
【００３２】図５、において、バイナリー発電装置と太陽熱集熱装置が停止し、貯湯タンク２６の温水の温度が低すぎる場合は、給水配管１８から３方弁２１を介して貯湯タンク２６の温水を取り込み、給湯装置により適正な温度に昇温し、給水配管２５を通り３方弁２１を経て貯湯タンク２６に戻す。
【００３３】図１、図２、図３、図４において、太陽熱集熱パネル２において太陽熱サイクルの冷媒は、温度センサーＡ、３０により冷媒の温度を検知され、第２冷媒ポンプ２９により適正な循環量で循環される。
【００３４】図１、図２、図３において、バイナリー発電装置の冷媒は、温度センサーＤ、３３により冷媒の温度を検知され、第１冷媒ポンプ６により適正な循環量で循環される。
【００３５】図１、図２において、バイナリー発電装置の冷却水は、温度センサーＣ、３２により冷却水の温度を検知され、冷水ポンプ２８により適正な循環量で循環されるか、または冷却水温度が昇温しすぎた場合には、３方弁２１を制御して、空冷熱交換器７による独立した冷却水の循環を行う。
【００３６】図１、図２、図４において、貯湯タンク２６における温水は、温度センサーＢ、３１により温水の温度を検知され、貯湯ポンプ２３により適正な循環量で循環される。
【００３７】図５、において、貯湯タンク２６における温水は、温度センサーＢ、３１により温水の温度を検知され、給湯装置２７により適正な循環量で循環される。
【００３８】図１、図２、図３、図４、図５において、貯湯タンク２６への給水は給水配管２０により貯湯タンク２６の底部から給水され、取水は給水配管２２により貯湯タンク２６の上部から取水される。
【００３９】図１、図２、図３において、バイナリー発電装置により発電された電気は、売電されるか、または蓄電池に蓄電され利用される。
【００４０】ここで、太陽熱発電給湯装置の発電サイクルの具体的な運転状態について、図６、のＰ−ｈ（モリエル）線図により説明する。
カルノーサイクルの発電サイクルの第１サイクルにおける、点Ｅは膨張機１に供給される冷媒の状態（例えば圧力０．７１３ＭＰａ、７８℃）を示し、膨張機１により膨張し、発電機１９により発電を行い、低圧となった冷媒は、点Ｆにおいては（例えば圧力０．１２４ＭＰａ、３０℃）となる。点Ｅから点Ｆへの状態変化は、等エントロピー変化となる。点Ｇは凝縮器４から流出した冷媒の状態を示し（例えば圧力０．１２４ＭＰａ、２０℃）となる。点Ｈは第１冷媒ポンプ６により昇圧された、蒸発器３の入口における冷媒の状態を示し（例えば圧力０．７１３Ｐａ、２３℃）となる。点Ｇから点Ｈへの状態変化は、等エントロピー変化となる。蒸発器３により第１サイクルの冷媒は点Ｈの状態から、太陽熱サイクルの冷媒との熱交換により、点Ｅの状態に戻る。
【００４１】ここで、太陽熱発電給湯装置の発電量について、図６のＰ−ｈ（モリエル）線図により説明する。
この図において、膨張機１、が単位量の冷媒の膨張力を１００％動力に変換し、さらに、発電機１９が電力を１００％動力に変換し、第１冷媒ポンプ６の全断熱効率が１であり、配管、その他、機器等のいかなる損失も無い場合に得られる理論電力は、カルノーサイクルの第１サイクルより発生する比エンタルピーの値、膨張機１の発電力Δｋ、の値に、冷媒の循環流量を乗じた値となる。
【図面の簡単な説明】
【図１】バイナリー発電装置と太陽熱集熱装置と温水貯湯が連携して機能している場合示す構成図。
【図２】冷却水配管が独立したサイクルのバイナリー発電装置と太陽熱集熱装置と温水貯湯が連携して機能している場合示す構成図。
【図３】温水貯湯が停止し、バイナリー発電装置と太陽熱集熱装置が連携して機能している場合示す構成図。
【図４】バイナリー発電装置が停止し、太陽熱集熱装置と温水貯湯が連携して機能している場合示す構成図。
【図５】バイナリー発電装置と太陽熱集熱装置が停止し、温水貯湯が給湯装置により機能している場合示す構成図。
【図６】バイナリー発電装置のＰ−ｈ線図。
【符号の説明】
【００４２】１・・・膨張機、２・・・太陽熱集熱パネル、３・・・蒸発器、４・・・凝縮器、５・・・熱交換器、６・・・第１冷媒ポンプ、７・・・空冷熱交換器、８、９、１０、１１・・・バイナリーサイクルの冷媒配管、１２、１３、１４、２４・・・太陽熱冷媒配管、１５、１６、１７、１８、２０、２２、２５・・・給水配管、１９・・・発電機、２１・・・３方弁、２３・・・貯湯ポンプ、２６・・・貯湯タンク、２７・・・給湯装置、２８・・・冷水ポンプ、２９・・・第２冷媒ポンプ、３０・・・温度センサーＡ、３１・・・温度センサーＢ、３２・・・温度センサーＣ、３３・・・温度センサーＤ、３４・・・第２冷水ポンプ、
【図１】
2016017736.tif 000003
【図２】
2016017736.tif 000004
【図３】
2016017736.tif 000005
【図４】
2016017736.tif 000006
【図５】
2016017736.tif 000007
【図６】
2016017736.tif 000008